(57)【要約】【課題】本発明は建築、構築物に用いる乾式壁材の長手方向の端部を付き合わせて出来る縦目地部の構造に関するものである。さらに詳しくは、連結部の防水性と施工性を向上した化粧キャップに関するものである。【解決手段】乾式壁材の目地部を被覆する化粧キャップＣにおいて、化粧キャップＣは略垂直平面状の化粧面部８と、化粧面部８の上端には化粧面部８の上端をさらに上方に突出した突出片１２ａと、突出片１２ａの両端部を屋内側に窪ませて凸部１３と凸部１３の両端部の挿入片１４を形成することにより、凸部１３と挿入片１４により形成された空隙１５を形成した化粧キャップＣである。【選択図】図８
2018204199.tif 000002
【特許請求の範囲】
【請求項１】
乾式壁材の目地部を被覆する化粧キャップにおいて、化粧キャップは略垂直平面状の化粧面部と、化粧面部の上端には化粧面部の上端をさらに上方に突出した突出片と、突出片の両端部を屋内側に窪ませて凸部と凸部の両端部の挿入片を形成することにより、凸部と挿入片により形成された空隙を形成したことを特徴とする化粧キャップ。
【発明の詳細な説明】
【技術分野】
【０００１】
本発明は建築、構築物に用いる乾式壁材の長手方向の端部を付き合わせて出来る縦目地部の構造に関するものである。さらに詳しくは、連結部の防水性と施工性を向上した化粧キャップに関するものである。
【背景技術】
【０００２】
一般に金属板を表面材とし、合成樹脂発泡体を芯材とし、シート状物を裏面材としたサンドイッチ構造の乾式壁材、あるいは無機系の材料からなる乾式壁材を用いて横張り状に壁体を形成した場合には、乾式壁材の長手方向の突き合わせにより縦目地が形成され、縦目地は単に突き合わせたり、コーキング材を植設したり、Ｈ型のジョイナを使用したり、敷目板と化粧キャップの２部材の嵌合により縦目地を形成する方法がある。（例えば、特許文献１参照）。
【先行技術文献】
【特許文献】
【０００３】
【特許文献１】特開平１１−１３１７４４
【発明の概要】
【発明が解決しようとする課題】
【０００４】
しかしながら、引用文献１は縦目地用ジョイナに係り、鎧張り形状の乾式壁材の縦目地部分に対応したものであるが、乾式壁材の連結部内へ上端を挿入する際の施工性、位置決め、などに問題があった。
【課題を解決するための手段】
【０００５】
本発明はこのような欠点を解決するために、乾式壁材の目地部を被覆する化粧キャップにおいて、化粧キャップは略垂直平面状の化粧面部と、化粧面部の上端には化粧面部の上端をさらに上方に突出した突出片と、突出片の両端部を屋内側に窪ませて凸部と凸部の両端部の挿入片を形成することにより、凸部と挿入片により形成された空隙を形成した化粧キャップを提供するものである。
【発明の効果】
【０００６】
本発明に係る化粧キャップによれば、化粧キャップの化粧面部の上端の突出片の左右端部に屋内側に窪んだ挿入片を形成したために、（１）突出片の凸部が目印となり、乾式壁材の係止溝内への突出片の挿入が容易である。（２）凸部が左右の乾式壁材間形成されるために、乾式壁材の係止溝内への突出片の挿入位置が明確である。（３）乾式壁材の係止溝の空隙が極小でも簡単に挿入できる。等の特徴、効果がある。
【図面の簡単な説明】
【０００７】
【図１】本発明に係る化粧キャップに使用する敷目板と化粧キャップの一実施例を示す断面図である。
【図２】本発明に係る化粧キャップの施工状態を示す断面図である。
【図３】本発明に係る化粧キャップの施工状態を示す斜視図である。
【図４】本発明に係る化粧キャップに使用する乾式壁材の一実施例を示す断面図である。
【図５】本発明に係る化粧キャップに使用する乾式壁材の施工状態の一実施例を示す断面図である。
【図６】本発明に係る化粧キャップの上下の連結状態の一実施例を示す断面図である。
【図７】本発明に係る化粧キャップの施工状態の一実施例を示す説明図である。
【図８】本発明に係る化粧キャップの一実施例を示す説明図である。
【図９】本発明に係る化粧キャップの一実施例を示す説明図である。
【図１０】本発明に係る化粧キャップの一実施例を示す説明図である。
【図１１】本発明に係る化粧キャップのその他の実施例を示す断面図である。
【図１２】本発明に係る化粧キャップのその他の実施例を示す断面図である。
【図１３】本発明に係る化粧キャップのその他の実施例を示す断面図である。
【発明を実施するための形態】
【実施例】
【０００８】
以下に図面を用いて本発明に係る化粧キャップの代表的な実施例について詳細に説明する。図１（ａ）、（ｂ）は本発明に係る化粧キャップＣと敷目板Ｂを示す断面図、図２は敷目板Ｂと化粧キャップＣからなる縦目地用ジョイナＡの施工状態を示す断面図、図３は敷目板Ｂと化粧キャップＣからなる縦目地用ジョイナＡの施工状態を示す斜視図、図４は乾式壁材Ｄの一実施例を示す断面図であり、図５は乾式壁材Ｄの施工状態を示す断面図であり、Ｍは目地部、Ｔは縦目地部、Ｙは横目地部、αは壁下地、βは固定具である。
【０００９】
さらに詳説すると、敷目板Ｂと化粧キャップＣからなる縦目地用ジョイナＡは金属製薄板材、例えば鉄、アルミニウム、銅、ステンレス、チタン、アルミ・亜鉛合金メッキ鋼板、ガルバ鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、等によって各種形状に成形したものである。
【００１０】
敷目板Ｂは長尺状板材であり、図１（ａ）に示すように水平部１と嵌合部４とから形成したものである。さらに詳説すると、水平部１は水平面状の固定片２と、固定片２の先端をはぜ状に屈曲した舌片３とから形成したものである。また、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成したものである。この嵌合部４は後記する化粧キャップＣの係合部９を係合する部分である。
【００１１】
化粧キャップＣは乾式壁材Ｄの化粧面および断面形状によって定めるものであり、図４に示すような乾式壁材Ｄを使用して壁体を形成する場合には、図８〜図１０に示すような化粧キャップＣとなる。なお、図６、図７は化粧キャップＣの連結方法を示す断面図である。
【００１２】
さらに詳説すると、化粧キャップＣは図８〜図１０に示すように、狭い幅で乾式壁材Ｄの断面形状に合致した化粧面部８と、化粧面部８の裏面中央に長手方向に突出した係合部９から形成したものであり、化粧面部８は図２、図３に示すように、乾式壁材Ｄの端部を被覆し意匠性、防水性を向上する部分である。
【００１３】
係合部９は化粧面部８の裏面中央に突出可能な位置を９０°で屈曲した立ち上がり部１０と、立ち上がり部１０の先端近傍に外側方に突出して形成した係合片１１からなり、係合片１１は敷目板Ｂの嵌合爪７に係合され、化粧キャップＣを壁下地αに固定するためのものである。
【００１４】
上部１２は、化粧面部８の上端をさらに上方に突出した突出片１２ａと、突出片１２ａの両端部を屋内側に窪ませて凸部１３と凸部１３の両端部の挿入片１４を形成することにより、凸部１３と挿入片１４により形成された空隙１５を形成したものである。
【００１５】
下部１６は、化粧面部８の最下端を屋内側に屈曲し、乾式壁材Ｄの下端部をカバーするカバー片１７より形成したものである。
【００１６】
挿入片１４は、図６に示すように、乾式壁材Ｄの係止溝Ｄ４内に挿入されることにより、化粧キャップＣの上端が固定され、かつ、空隙１５が係止溝Ｄ４内に空間Ｋを形成することにより係止溝Ｄ４内における毛細管現象を防止して、防水性を強化するものである。
【００１７】
凸部１３は、縦目地部Ｔの幅Ｗと同等あるいは狭く形成し、縦目地部Ｔ部分における化粧キャップＣの左右のズレを防止できるように形成したものである。
【００１８】
乾式壁材Ｄは図４に示すように、雄型連結部Ｄ１に係止片Ｄ３、雌型連結部Ｄ２に係止溝Ｄ４を形成した雄雌嵌合構造の乾式壁材Ｄであり、金属系サイディング材、窯業系サイディング材、セラミック、等より成形したものである。
【００１９】
以上説明したのは、本発明に係る化粧キャップの一実施例に過ぎず、図１１（ａ）、（ｂ）〜図１３に示すように形成することが出来る。
【００２０】
図１１（ａ）、（ｂ）は、出隅部、あるいは入隅部に使用できる化粧キャップＣである。
【００２１】
図１２、図１３は、出隅部分に形成できる出隅用の化粧キャップＣであり、敷目板Ｂを用いずに、下端部は乾式壁材Ｄの係止溝Ｄ４内に引っ掛け片１８を挿入し、上端部は固定孔１９から固定孔２０に目掛けて釘などの固定具βにより壁下地αに固定するものである。
【符号の説明】
【００２２】
Ａ  縦目地用ジョイナ
Ｂ  敷目板
Ｃ  化粧キャップ
Ｄ  乾式壁材
Ｄ１  雌型連結部
Ｄ２  雄型連結部
Ｄ３  係止片
Ｄ４  係止溝
Ｍ  目地部
Ｔ  縦目地部
Ｙ  横目地部
α  壁下地
β  固定具
１  水平部
２  固定片
３  舌片
４  嵌合部
５  ガイド片
６  嵌合溝
７  嵌合爪
８  化粧面部
９  係合部
１０  立ち上がり部
１１  係合片
１２  上部
１２ａ  突出片
１３  凸部
１４  挿入片
１５  空隙
１６  下部
１７  カバー片
１８  引っ掛け片
１９  固定孔
２０  固定孔
【図１】
2018204199.tif 000003
【図２】
2018204199.tif 000004
【図３】
2018204199.tif 000005
【図４】
2018204199.tif 000006
【図５】
2018204199.tif 000007
【図６】
2018204199.tif 000008
【図７】
2018204199.tif 000009
【図８】
2018204199.tif 000010
【図９】
2018204199.tif 000011
【図１０】
2018204199.tif 000012
【図１１】
2018204199.tif 000013
【図１２】
2018204199.tif 000014
【図１３】
2018204199.tif 000015